(57)【特許請求の範囲】
【請求項１】
基体と、
前記基体に装着され、透光性を有する筒状のグローブと、
前記グローブ内に設けられ、前記基体から立ち上がるように設けられると共に、厚さ方向に配列する第１主表面および第２主表面を含む回路基板と、
前記回路基板の幅方向の中央部を通り前記回路基板の立ち上がり方向に延びる中心線を挟むように、前記回路基板の第１主表面に配置された複数の第１光源と、
前記中心線を挟むように、前記回路基板の第２主表面に配置された複数の第２光源と、
前記第１光源よりも前記中心線側に設けられ、前記第１主表面から離れるにつれて、前記第１光源側に傾斜するように延びる第１反射面と、
前記第２光源よりも前記中心線側に設けられ、前記第２主表面から離れるにつれて、前記第２光源側に傾斜するように延びる第２反射面と、
を備え、
前記第１反射面からの反射光の放射領域と、前記第２反射面からの反射光の放射領域とは、前記グローブ内であって前記回路基板の側方で重なり合う、表示灯。
【請求項２】
前記回路基板は、幅方向に配列する第１側辺部および第２側辺部を含み、
前記複数の第１光源は、前記中心線よりも前記第１側辺部側に位置する第１側辺側光源と、前記中心線よりも前記第２側辺部側に位置する第２側辺側光源とを含み、
前記第１反射面は、前記第１側辺側光源と隣り合う第１単位反射面と、前記第２側辺側光源と隣り合う第２単位反射面とを含み、
前記第１側辺側光源から出射される光のうち、前記第１単位反射面によって反射されずに進む光の照射領域と、前記第２側辺側光源から出射される光のうち、前記第２単位反射面によって反射されずに進む光の照射領域とは互いに重なり、
前記複数の第２光源は、前記中心線よりも前記第１側辺部側に位置する第３側辺側光源と、前記中心線よりも前記第２側辺部側に位置する第４側辺側光源とを含み、
前記第２反射面は、前記第３側辺側光源と隣り合う第３単位反射面と、前記第４側辺側光源と隣り合う第４単位反射面とを含み、
前記第３側辺側光源から出射される光のうち、前記第３単位反射面によって反射されずに進む光の照射領域と、前記第４側辺側光源から出射される光のうち、前記第４単位反射面によって反射されずに進む光の照射領域とは互いに重なり合う、請求項１に記載の表示灯。
【請求項３】
前記回路基板が挿入される第１貫通孔が形成された第１遮光板と、
前記第１遮光板に対して、前記回路基板が前基体から立ち上がる方向に間隔をあけて配置され、前記回路基板が挿入される第２貫通孔が形成された第２遮光板と、
前記第１主表面に対して垂直な方向に前記第１主表面から間隔をあけて配置され、前記第１遮光板および前記第２遮光板を連結する第１柱部と、
前記第２主表面に対して垂直な方向に前記第２主表面から間隔をあけて配置され、前記第１遮光板および前記第２遮光板を連結する第２柱部と、
をさらに備え、
前記第１柱部は、前記第１柱部の幅方向に配列する複数の第１側面を含み、
前記第２柱部は、前記第２柱部の幅方向に配列する複数の第２側面を含み、
前記第１反射面は、前記第１側面に設けられ、
前記第２反射面は、前記第２側面に設けられた、請求項１または請求項２に記載の表示灯。
【請求項４】
前記第１反射面および前記第２反射面は白色に着色された、請求項１から請求項３のいずれかに記載の表示灯。
【請求項５】
前記第１光源は、前記第１主表面と垂直な方向に配列する第１装着面および第１出射面と、前記第１装着面および前記第１出射面を連結するように、前記第１装着面および前記第１出射面の間に形成された第１外周面とを含み、前記第１装着面は、前記第１主表面に装着され、前記第１出射面から前記グローブの内周面に向けて光が出射され、前記第１外周面からは光は出射されず、
前記第２光源は、前記第２主表面と垂直な方向に配列する第２装着面および第２出射面と、前記第２装着面および前記第２出射面を連結するように、前記第２装着面および前記第２出射面の間に形成された第２外周面とを含み、前記第２装着面は、前記第２主表面に装着され、前記第２出射面から前記グローブの内周面に向けて光が出射され、前記第２外周面からは光は出射されない、請求項１から請求項４のいずれかに記載の表示灯。
【請求項６】
前記グローブの外周面には、前記グローブの外周面に沿って延び、前記回路基板の立ち上がり方向に配列する複数の凸部が形成され、
前記回路基板の立ち上がり方向において前記第１光源と同じ位置に位置し、環状に延びる部分を基準位置とすると、
前記凸部の表面は、第３側面と、前記第３側面に対して前記基準位置と反対側に位置する第４側面とを含み、
前記第４側面は、前記基準位置から離れるにつれて、前記グローブの内側面に向けて延びるように形成され、
前記第４側面の面積は、前記第３側面の面積よりも大きい、請求項１から請求項５のいずれかに記載の表示灯。
【発明の詳細な説明】
【技術分野】
【０００１】
本発明は、表示灯に関し、特に、透光性を有するグローブとグローブ内に配置された光源とを含む表示灯に関する。
【背景技術】
【０００２】
従来から各種の表示灯が提案されている。たとえば、欧州特許第１３４７２３３号明細書に記載された表示灯は、キャップと、このキャップ内に設けられた回路基板と、回路基板に配置された複数のＬＥＤとを備える。
【０００３】
特許第２７２９９７９号公報に記載された誘導棒は、誘導棒の長手方向に沿ってのびる少なくとも２本の導線と、該導線間に所定間隔で並列に接続した複数のＬＥＤ（Light Emitting Diode）と、該導線とＬＥＤとを間に挟んで誘導棒の一定位置に該導線とＬＥＤとを固定するための一対の又は二つ折りにされた透明プラスチック成形品とを備える。
【０００４】
特開２００１−７６５０４号公報に記載された信号表示灯は、ベースハウジングと、このベースハウジングから立ち上がるように設けられた支柱と、この支柱に高さ方向に間隔をあけて配置された複数の基板と、この基板に設けられた複数のＬＥＤとを備える。
【０００５】
特許第４１５３８７０号公報に記載された照明装置は、複数のＬＥＤが取り付けられ支持体と、ＬＥＤおよび支持体を収容する透光性の管状部材と、管状部材の端部に設けられたキャップ部材とを備える。
【０００６】
支持体は、一対の側壁部と、側壁部の間に設けられた中央壁と、側壁および中央壁によって形成された２つの凹状の反射面とを備え、この凹状の反射面の底面に複数のＬＥＤが配置されている。そして、ＬＥＤからの光は、反射面によって、一定の照射方向に向けて反射される。
【０００７】
特開２０００−２０７９１９号公報に記載された発光体装置は、透明なカバーケースと、このカバーケースの中心部に設けられ、高さ方向に間隔をあけて配列する複数のＬＥＤと、各ＬＥＤごとに設けられ、各ＬＥＤの上方に配置された円錐状のミラーとを備える。
【０００８】
円錐状のミラーは、枠状の支持フレームによって支持されており、この支持フレームは、円錐状のミラーを支持する支持突起と、カバーケースの内周面と接触する複数の弾性支持脚とを含む。
【０００９】
特許第３５０９１２２号公報に記載された積層式回転灯は、高さ方向に間隔をあけて配列する複数の光源と、各光源ごとに設けられ、光源からの光を反射ミラーとを備える。
【先行技術文献】
【特許文献】
【００１０】
【特許文献１】欧州特許第１３４７２３３号明細書
【特許文献２】特許第２７２９９７９号公報
【特許文献３】特開２００１−７６５０４号公報
【特許文献４】特許第４１５３８７０号公報
【特許文献５】特開２０００−２０７９１９号公報
【特許文献６】特許第３５０９１２２号公報
【発明の概要】
【発明が解決しようとする課題】
【００１１】
しかし、上記欧州特許第１３４７２３３号明細書に記載された表示灯においては、回路基板の側方に向けて光が照射されず、この表示灯には輝度ムラが生じる。
【００１２】
特許第２７２９９７９号公報に記載された誘導棒においても、ＬＥＤからの光はＬＥＤの側方に向けて出射されないため、この誘導棒においても輝度ムラが生じる。
【００１３】
特開２００１−７６５０４号公報に記載された信号表示灯においては、１つの基板上に８個もＬＥＤが設けられおり、部品点数が非常に多くなっている。
【００１４】
さらに、各ＬＥＤからの光は光軸方向の輝度が高いため、各ＬＥＤの出射方向を異ならせたとしても、輝度ムラが生じる。
【００１５】
特許第４１５３８７０号公報に記載された照明装置は、ＬＥＤからの光およびＬＥＤからの光の反射光は、所定の方向にのみ照射されており、当該所定の方向から外れた方向には光が出射されない。
【００１６】
特開２０００−２０７９１９号公報に記載された発光体装置に記載された発光体装置においては、複数の円錐状の反射ミラーを支持するための支持フレームと要し、支持フレームのみを着目しても、非常に複雑な構成となっている。さらに、支持フレームによって、ＬＥＤからの反射光が遮られ、影が生じる。
【００１７】
特許第３５０９１２２号公報に記載された積層式回転灯は、回転灯であって、当然のことながら、経時的に光が照射される領域が変化する。
【００１８】
本発明は、上記のような課題に鑑みてなされたものであって、その目的は、輝度ムラの発生が抑制された表示灯であって、さらに、部品点数低減が図られた表示灯を提供することである。
【課題を解決するための手段】
【００１９】
本発明に係る表示灯は、基体と、基体に装着され、透光性を有する筒状のグローブと、グローブ内に設けられ、基体から立ち上がるように設けられると共に、厚さ方向に配列する第１主表面および第２主表面を含む回路基板と、回路基板の幅方向の中央部を通り回路基板の立ち上がり方向に延びる中心線を挟むように、回路基板の第１主表面に配置された複数の第１光源と、中心線を挟むように、回路基板の第２主表面に配置された複数の第２光源と、第１光源よりも中心線側に設けられ、第１主表面から離れるにつれて、第１光源側に傾斜するように延びる第１反射面と、第２光源よりも中心線側に設けられ、第２主表面から離れるにつれて、第２光源側に傾斜するように延びる第２反射面とを備える。好ましくは、上記第１反射面からの反射光の放射領域と、第２反射面からの反射光の放射領域とは、グローブ内であって回路基板の側方で重なり合う。
【００２０】
好ましくは、上記回路基板は、幅方向に配列する第１側辺部および第２側辺部を含む。上記複数の第１光源は、中心線よりも第１側辺部側に位置する第１側辺側光源と、中心線よりも第２側辺部側に位置する第２側辺側光源とを含む。上記第１反射面は、第１側辺側光源と隣り合う第１単位反射面と、第２側辺側光源と隣り合う第２単位反射面とを含む。上記第１側辺側光源から出射される光のうち、第１単位反射面によって反射されずに進む光の照射領域と、第２側辺側光源から出射される光のうち、第２単位反射面によって反射されずに進む光の照射領域とは互いに重なる。上記複数の第２光源は、中心線よりも第１側辺部側に位置する第３側辺側光源と、中心線よりも第２側辺部側に位置する第４側辺側光源とを含む。上記第２反射面は、第３側辺側光源と隣り合う第３単位反射面と、第４側辺側光源と隣り合う第４単位反射面とを含む。上記第３側辺側光源から出射される光のうち、第３単位反射面によって反射されずに進む光の照射領域と、第４側辺側光源から出射される光のうち、第４単位反射面によって反射されずに進む光の照射領域とは互いに重な合う。
【００２１】
好ましくは、上記回路基板が挿入される第１貫通孔が形成された第１遮光板と、第１遮光板に対して、回路基板が前基体から立ち上がる方向に間隔をあけて配置され、回路基板が挿入される第２貫通孔が形成された第２遮光板と、第１主表面に対して垂直な方向に第１主表面から間隔をあけて配置され、第１遮光板および第２遮光板を連結する第１柱部と、第２主表面に対して垂直な方向に第２主表面から間隔をあけて配置され、第１遮光板および第２遮光板を連結する第２柱部とをさらに備える。上記第１柱部は、第１柱部の幅方向に配列する複数の第１側面を含む。上記第２柱部は、第２柱部の幅方向に配列する複数の第２側面を含む。上記第１反射面は、第１側面に設けられる。上記第２反射面は、第２側面に設けられる。
【００２２】
好ましくは、上記第１反射面および第２反射面は白色に着色される。好ましくは、第１光源は、第１主表面と垂直な方向に配列する第１装着面および第１出射面と、第１装着面および第１出射面を連結するように、第１装着面および第１出射面の間に形成された第１外周面とを含み、第１装着面は、第１主表面に装着され、第１出射面からグローブの内周面に向けて光が出射され、第１外周面からは光は出射されない。上記第２光源は、第２主表面と垂直な方向に配列する第２装着面および第２出射面と、第２装着面および第２出射面を連結するように、第２装着面および第２出射面の間に形成された第２外周面とを含み、第２装着面は、第２主表面に装着され、第２出射面からグローブの内周面に向けて光が出射され、第２外周面からは光は出射されない。
【００２３】
好ましくは、上記グローブの外周面には、グローブの外周面に沿って延び、回路基板の立ち上がり方向に配列する複数の凸部が形成される。上記回路基板の立ち上がり方向において第１光源と同じ位置に位置し、環状に延びる部分を基準位置とすると、凸部の表面は、第３側面と、第３側面に対して基準位置と反対側に位置する第４側面とを含む。上記第４側面は、基準位置から離れるにつれて、グローブの内側面に向けて延びるように形成される。上記第４側面の面積は、第３側面の面積よりも大きい。
【発明の効果】
【００２４】
本発明に係る表示灯によれば、輝度ムラの抑制を図ることができるとともに、部品点数の低減を図ることができる。
【図面の簡単な説明】
【００２５】
【図１】本実施の形態１に係る表示灯を示す斜視図である。
【図２】表示灯本体２からグローブ６を取り外した状態を示す表示灯本体２の斜視図である。
【図３】表示灯本体２の分解斜視図である。
【図４】表示灯本体２を示す断面斜視図である。
【図５】回路基板８を主表面２０Ｂ側から見た斜視図である。
【図６】遮光板ユニット７の斜視図である。
【図７】表示灯本体２を示す断面斜視図である。
【図８】ＬＥＤ対２１Ｂおよびその周囲の部材を示す斜視図である。
【図９】ＬＥＤ対２１Ｂを通る断面における断面図である。
【図１０】反射面８０，８２およびその周囲の構成を示す拡大断面図である。
【図１１】グローブ６の周壁部５１の一部を拡大視した断面図である。
【図１２】図１１に示すグローブ６の一部をさらに拡大視した断面図である。
【発明を実施するための形態】
【００２６】
図１から図１２を用いて、本発明に係る表示灯について説明する。
図１は、本実施の形態１に係る表示灯を示す斜視図である。この図１に示すように表示灯１は、表示灯本体２と、表示灯本体２のポール４を支持するスタンド３とを備える。
【００２７】
表示灯本体２は、基体５と、この基体５に装着され、透光性を有する筒状のグローブ６とを含む。
【００２８】
図２は、表示灯本体２からグローブ６を取り外した状態を示す表示灯本体２の斜視図であり、図３は、表示灯本体２の分解斜視図である。
【００２９】
図２および図３に示すように、表示灯本体２は、透光性を有するグローブ６内に配置され、基体５から立ち上がるように設けられた遮光板ユニット７と、グローブ６内に配置され、基体５から立ち上がるように配置された回路基板８とを備える。回路基板８は、遮光板ユニット７内に挿入されている。
【００３０】
図３において、基体５は、有底円筒状に形成されており、回路基板８および遮光板ユニット７が挿入される開口部１０が形成されている。
【００３１】
グローブ６は、有底円筒状に形成されており、透明な材料によって形成されている。グローブ６は、一体に形成されており、グローブ６は、上壁部５０と、この上壁部５０から垂れ下がる周壁部５１とを含む。周壁部５１の外周面には、複数の環状凸部が形成されている。
【００３２】
回路基板８は、基体５から立ち上がるように長尺に形成されており、略長方形形成に形成されている。なお、回路基板８の形状としては、長方形形状に限られず、長円形状や楕円形状などのような様々な形状を採用することができる。
【００３３】
遮光板ユニット７は、回路基板８の立ち上がり方向に間隔をあけて配置された複数の遮光板３０と、各遮光板３０を接続する柱状の接続部材３１および接続部材３２を含み、一体のユニットとして形成されている。
【００３４】
このため、表示灯１を組み立てる際には、基体５に、回路基板８および遮光板ユニット７を順次装着する。その後、グローブ６を基体５に装着することで、表示灯本体２を組み立てることができ、表示灯本体２を簡単に構築することができる。
【００３５】
図４は、表示灯本体２を示す断面斜視図である。この図４に示すように、基体５には、回路基板８の下端部を支持する基板支持部６０が形成されており、回路基板８の下端部は基体５によって支持されている。
【００３６】
基体５の開口部１０の内周縁部には、爪状の係止部６２が形成されている。遮光板ユニット７は、基体５から遮光板ユニット７の上端に向けて配列する複数の遮光板３０Ｄ，３０Ｃ，３０Ｂ，３０Ａを含み、複数の遮光板３０Ａ〜３０Ｄのうち、最も基体５側に位置する遮光板３０Ｄには爪状の係止部６１が形成されている。
【００３７】
係止部６１と係止部６２とは、互い係合しており、グローブ６と遮光板ユニット７とは一体的に結合可能となっている。
【００３８】
このため、表示灯本体２を組み立てる際に、遮光板ユニット７を基体５の上方からはめ込むことで、係止部６１と係止部６２とが噛み合い、遮光板ユニット７が基体５に装着され、基体５に遮光板ユニット７を簡単に組み付けることができる。グローブ６の開口部の内周面には周方向に間隔をあけて配置された爪状の結合部が設けられており、基体５の開口部の外周面には、突起部２７が設けられている。そして、グローブ６と基体５とを結合する際には、グローブ６を基体５に装着した状態で、グローブ６を回転させることで、グローブ６に設けられた結合部と、基体５の突起部２７とを結合させることができ、グローブ６を簡単に基体５に装着することができる。
【００３９】
図５は、回路基板８を主表面２０Ｂ側から見た斜視図である。この図５および図４に示すように、回路基板８は、回路基板８の厚さ方向に配列する主表面２０Ａおよび主表面２０Ｂを含む。回路基板８の主表面２０Ａには、複数のＬＥＤ対２１Ａ，２１Ｂ，２１Ｃが回路基板８の長手方向（立ち上がり方向）に間隔をあけて設けられている。
【００４０】
ＬＥＤ対２１Ａは、回路基板８の中心線Ｏ１を挟むように配置された複数のＬＥＤ２２ａ，２３ａとを含む。なお、中心線Ｏ１は、回路基板８の幅方向中央部を通り、回路基板８の立ち上がり方向に延びる。ＬＥＤ２２ａとＬＥＤ２３ａとは、同色の光を発光する。
【００４１】
ＬＥＤ対２１Ｂも、中心線Ｏ１を挟むように配置されたＬＥＤ２２ｂおよびＬＥＤ２３ｂを含み、ＬＥＤ対２１Ｃも中心線Ｏ１を挟むように配置されたＬＥＤ２２ｃ，２３ｃを含む。なお、ＬＥＤ２２ｂおよびＬＥＤ２３ｂは、同色の光を出射し、ＬＥＤ２２ｃおよびＬＥＤ２３ｃも同色の光を出射する。
【００４２】
たとえば、ＬＥＤ対２１Ａ，２１Ｂ，２１Ｃが発光する光は各々異なる色の光を出射する。なお、本実施の形態においては、ＬＥＤ対２１Ａ，２１Ｂ，２１Ｃが発光する光を互いに異ならせたが、使用方法によって同色としてもよい。
【００４３】
図５において、回路基板８の主表面２０Ｂにも、複数のＬＥＤ対２６Ａ，２６Ｂ，２６Ｃが回路基板８の立ち上がり方向に間隔をあけて設けられている。ＬＥＤ対２６Ａも、中心線Ｏ１を挟むように配置されたＬＥＤ２４ａ，２５ａを含む。
【００４４】
ＬＥＤ対２６Ｂは、中心線Ｏ１を挟むように配置されたＬＥＤ２４ａおよびＬＥＤ２５ｂを含み、中心線Ｏ１を挟むように配置されたＬＥＤ対２６Ｃは、ＬＥＤ２４ｃ，２５ｃを含む。
【００４５】
図４および図５において、ＬＥＤ対２６ＡのＬＥＤ２４ａ，２５ａと、ＬＥＤ対２１ＡのＬＥＤ２２ａ，２３ａとは、各々、回路基板８の厚さ方向に配列する。ＬＥＤ対２６ＢのＬＥＤ２４ｂ，２５ｂと、ＬＥＤ対２１ＢのＬＥＤ２２ｂ，２３ｂとは、回路基板８の厚さ方向に配列する。ＬＥＤ対２６ＣのＬＥＤ２４ｃ，２５ｃと、ＬＥＤ対２１ＣのＬＥＤ２２ｃ，２３ｃとは、各々、回路基板８の厚さ方向に配列する。なお、回路基板８は、幅方向に配列する２つの側辺部を含み、ＬＥＤ２３ａ，２３ｂ，２３ｃ，２４ａ，２４ｂ，２４ｃは、中心線Ｏ１よりも一方の側辺部側に配置され、ＬＥＤ２２ａ，２２ｂ，２２ｃ，２５ａ，２５ｂ，２５ｃは、中心線Ｏ１よりも他方の側辺部側に配置されている。
【００４６】
ＬＥＤ対２６ＡのＬＥＤ２４ａ，２５ａが出射する光と、ＬＥＤ対２１ＡのＬＥＤ２２ａ，２３ａが出射する光とは同じ色である。同様に、ＬＥＤ対２６ＢのＬＥＤ２４ｂ，２５ｂが出射する光とＬＥＤ対２１ＢのＬＥＤ２２ｂ，２３ｂが出射する光とは同じ色である。ＬＥＤ対２６ＣのＬＥＤ２４ｃ，２５ｃが出射する光と、ＬＥＤ対２１ＣのＬＥＤ２２ｃ，２３ｃが出射する光とは、同じ色である。
【００４７】
図４および図５において、ＬＥＤ対２１ＡおよびＬＥＤ対２６Ａは、遮光板３０Ａおよび遮光板３０Ｂの間に配置されている。ＬＥＤ対２６ＢおよびＬＥＤ対２１Ｂは、遮光板３０Ｂおよび遮光板３０Ｃの間に配置されている。ＬＥＤ対２６ＣおよびＬＥＤ対２１Ｃは、遮光板３０Ｃおよび遮光板３０Ｄの間に配置されている。
【００４８】
ＬＥＤ対２１Ａ，２６Ａと、ＬＥＤ対２１Ｂ，２６Ｂとの間に遮光板３０Ｂが配置されているため、ＬＥＤ対２１Ａ，２６Ａからの光と、ＬＥＤ対２１Ｂ，２６Ｂから光とが混ざり合うことが抑制されている。
【００４９】
ＬＥＤ対２１Ｂ，２６ＢとＬＥＤ対２１Ｃ，２６Ｃとの間には、遮光板３０Ｂが配置されており、ＬＥＤ対２１Ｂ，２６Ｂからの光とＬＥＤ対２１Ｃ，２６Ｃとの間の光とが混ざることを抑制することができる。
【００５０】
図６は、遮光板ユニット７の斜視図である。この図６に示すように、遮光板ユニット７の遮光板３０Ｂ，３０Ｃ，３０Ｄには、回路基板８が挿入される貫通孔３３がそれぞれ形成されている。なお、本実施の形態においては、複数の遮光板３０Ａ〜３０Ｄのうち、最も上層に位置する遮光板３０Ａには、貫通孔は形成されていないが、遮光板３０Ａに貫通孔を形成してもよい。
【００５１】
図７は、表示灯本体２を示す断面斜視図である。この図７に示すように、回路基板８の上端部側には、穴部３６が形成されている。接続部材３２の表面のうち、回路基板８と対向する主表面には、突起部３５が形成されており、接続部材３１の表面のうち、回路基板８と対向する主表面には突起部３４が形成されている。
【００５２】
そして、突起部３５の先端部および突起部３４の先端部が穴部３６内に入り込み、回路基板８の上端部側が突起部３５および突起部３４によって固定されている。
【００５３】
このように、回路基板８の下端部がグローブ６に設けられた基板支持部６０によって支持され、回路基板８の上端部が突起部３４および突起部３５によって固定されることで、回路基板８が基体５から立ち上がるような姿勢で固定される。
【００５４】
図８は、ＬＥＤ対２１Ｂおよびその周囲の部材を示す斜視図であり、図９は、ＬＥＤ対２１Ｂを通る断面における断面図である。
【００５５】
図９に示すように、接続部材３１および接続部材３２は、回路基板８の立ち上がり方向に垂直な断面で断面視すると、略台形形状となるように形成されている。
【００５６】
接続部材３１は、主表面２０Ｂから主表面２０Ｂに対して垂直な方向に間隔をあけて配置されている。具体的には、接続部材３１は、主表面２０Ｂ側に配置され、遮光板３０Ｃに形成された貫通孔３３の開口縁部に設けられている。接続部材３１は、主表面２０Ｂから離れるにつれて、接続部材３１の幅が大きくなるように形成されている。
【００５７】
接続部材３２は、主表面２０Ａから主表面２０Ａに対して垂直な方向に間隔をあけて配置されている。接続部材３２は、主表面２０Ａから離れるにつれて、接続部材３２の幅が大きくなるように形成されている。
【００５８】
接続部材３１の表面は、接続部材３１の幅方向に配列する２つの側面を含み、当該側面の一方が反射面８０とされ、他方の側面が反射面８１とされている。接続部材３２の表面は、接続部材３２の幅方向に配列する２つの側面を含み、当該側面の一方が反射面８２とされ、他方の側面が反射面８３とされている。
【００５９】
反射面８０は、ＬＥＤ２５ｂよりも中心線Ｏ１側に配置され、反射面８１もＬＥＤ２４ｂよりも中心線Ｏ１側に配置されている。反射面８２は、ＬＥＤ２２ｂよりも中心線Ｏ１側に配置され、反射面８３もＬＥＤ２３ｂよりも中心線Ｏ１側に配置されている。
【００６０】
反射面８０は、主表面２０Ｂから離れるにつれて、ＬＥＤ２５ｂ側に傾斜するように延びるように形成され、反射面８１は主表面２０Ｂから離れるにつれてＬＥＤ２４ｂ側に傾斜するように延びている。反射面８２は、遮光板３０Ｂから離れるにつれて、ＬＥＤ２２ｂ側に傾斜するように延びるように形成され、反射面８３は、主表面２０Ａから離れるにつれて、ＬＥＤ２３ｂ側に傾斜するように形成されている。
【００６１】
なお、各反射面８０〜８２は、各主表面２０Ａ，２０Ｂから離れるにつれて、隣り合う各ＬＥＤ側に傾斜する傾斜面とされているが、各反射面８０〜８２の形状としては、たとえば、湾曲面であってもよく、さらには、複数の傾斜面を連ねて形成してもよい。
【００６２】
図１０は、反射面８０，８２およびその周囲の構成を示す拡大断面図である。この図１０に示すように、ＬＥＤ２５ｂから出射された光は、放射状に放射される。具体的には、ＬＥＤ２５ａから出射される光は、主表面２０Ｂに垂直な光軸を中心に略円錐状に出射される。そして、ＬＥＤ２５ｂから出射された光の一部が反射面８０に入射する。その一方で、ＬＥＤ２５ｂから出射された光のうち、反射面８０に入射しなかった光は、そのまま直進する。この図１０において、反射面８０は、ＬＥＤ２５ｂからの光を反射光Ｌ８０として反射する。そして、ＬＥＤ２５ｂのうち、反射面８０で反射されなかった光は、直接光Ｌ２５として進む。
【００６３】
また、ＬＥＤ２２ｂから出射された光も、円錐状に放射される。ＬＥＤ２２ｂから出射された光の一部が反射面８２に入射し、反射光Ｌ８２として反射される。さらに、ＬＥＤ２２ｂから出射された光のうち、反射面８２に入射しない光は、そのまま直進する。
【００６４】
なお、直接光Ｌ２５が照射される領域を照射領域Ｒ１とし、反射光Ｌ８０が照射される領域を照射領域Ｒ２とする。反射面８２からの反射光Ｌ８２が放射される領域を照射領域Ｒ３とする。
【００６５】
この図１０に示すように、反射光Ｌ８０の照射領域Ｒ２の一部と、反射光Ｌ８２の照射領域Ｒ３の一部とがグローブ６内で重なり合う。
【００６６】
照射領域Ｒ２と照射領域Ｒ３とが重なりはじめる交差点を交差点Ｐ１とすると、交差点Ｐ１は、回路基板８の側方であって、グローブ６内に位置している。なお、図１０に示すように、回路基板８の立ち上がり方向から遮光板３０Ｃと、照射領域Ｒ２と照射領域Ｒ３とを見ると、交差点Ｐ１は遮光板３０Ｃ上に位置しており、この図１０に示す例においては、交差点Ｐ１は遮光板３０Ｃの外周縁部に位置している。
【００６７】
さらに、図１０からも明らかなように、直接光Ｌ２５の照射領域Ｒ１と反射光Ｌ８０の照射領域Ｒ２とは、グローブ６内で互いに重なり合っている。
【００６８】
図９において、ＬＥＤ２２ｂからの光のうち、反射面８２によって反射されなかった光を直接光Ｌ２２とする。さらに、ＬＥＤ２４ｂから出射された光のうち、反射面８１で反射された反射光を反射光Ｌ８１とし、反射面８１で反射されなかった光を直接光Ｌ２４とする。ＬＥＤ２３ｂから出射された光のうち、反射面８３で反射された反射光を反射光Ｌ８３とし、反射面８３で反射されなかった光を直接光Ｌ２３とする。
【００６９】
まず、反射光Ｌ８１の照射領域Ｒ６と、反射光Ｌ８３の照射領域Ｒ８とは、グローブ６内で互いに重なる。照射領域Ｒ６と照射領域Ｒ８と遮光板３０Ｃを回路基板８の立ち上がり方向から見ると、照射領域Ｒ６と照射領域Ｒ８との交差点Ｐ３は遮光板３０Ｃ上であって、遮光板３０Ｃの外周縁部に位置している。
【００７０】
このように、回路基板８の一方の側面側から表示灯本体２を観察したときには、反射光Ｌ８０および反射光Ｌ８２を観察することができ、回路基板８の他方の側面側から表示灯本体２を観察したときには、反射光Ｌ８１および反射光Ｌ８３の少なくとも一方を観察することができる。このため、グローブ６のうち、回路基板８の側方に位置する部分に影が形成されることを抑制することができる。
【００７１】
直接光Ｌ２４の照射領域Ｒ５と、直接光Ｌ２５の照射領域Ｒ１も、グローブ６内で互いに重なりあう。回路基板８の立ち上がり方向から照射領域Ｒ１と照射領域Ｒ５とをみると、照射領域Ｒ１と照射領域Ｒ５との交差点Ｐ２は、遮光板３０Ｃ上に位置している。
【００７２】
直接光Ｌ２２の照射領域Ｒ４と、直接光Ｌ２３からの照射領域Ｒ７とは、グローブ６内で互いに重なり合っている。回路基板８の立ち上がり方向から照射領域Ｒ４と照射領域Ｒ７と遮光板３０Ｃを見ると、照射領域Ｒ４と照射領域Ｒ７との交差点Ｐ４は、遮光板３０Ｃ上に位置している。
【００７３】
このため、主表面２０Ａおよび主表面２０Ｂを正面から見るように、表示灯本体２を観察すると、ＬＥＤ２５ｂ，２４ｂからの直接光Ｌ２５，Ｌ２４、または、ＬＥＤ２２ｂ，２３ｂの直接光Ｌ２２，Ｌ２３を観察することができる。
【００７４】
さらに、ＬＥＤ２２ｂの直接光Ｌ２２の照射領域Ｒ４と反射光Ｌ８２の照射領域Ｒ３とは、グローブ６内において重なりあっている。ＬＥＤ２３ｂの直接光Ｌ２３の照射領域Ｒ７と、反射光Ｌ８３の照射領域Ｒ８とは、グローブ６内で重なりあっている。ＬＥＤ２４
の直接光Ｌ２４の照射領域Ｒ５と、反射光Ｌ８１の照射領域Ｒ６とは、グローブ６内で重なりあっている。
【００７５】
このため、グローブ６の外周面を外部から観察すると、各ＬＥＤ２２ｂ〜２５ｂからの直接光Ｌ２２〜Ｌ２５、または、反射面８０〜８３からの反射光Ｌ８０〜Ｌ８３の少なくともいずれかを観察することができる。
【００７６】
ここで、各直接光Ｌ２２〜Ｌ２５および反射光Ｌ８０〜Ｌ８３は、図４において、グローブ６のうち、遮光板３０Ｂおよび遮光板３０Ｃの間に位置する部分の高さ方向に亘って照射される。
【００７７】
グローブ６の外周面には、複数の環状凸部が形成されており各直接光Ｌ２２〜Ｌ２５および反射光Ｌ８０〜Ｌ８３がグローブ６の外表面で散乱する。
【００７８】
この結果、グローブ６のうち、遮光板３０Ａおよび遮光板３０Ｂの間に位置する部分においては、周方向および高さ方向の全体に亘って各直接光Ｌ２２〜Ｌ２５および反射光Ｌ８０〜Ｌ８３によって光輝く。
【００７９】
ここで、図９からも明らかなように、各ＬＥＤ２２ｂ〜２５ｂが出射する光のうち、各反射面８０〜８２によって反射される光量は、反射面によって反射されずに進む光量の方が多い。その一方で、反射光Ｌ８０〜Ｌ８３がグローブ６の内周面に照らし出す面積の方が、各直接光Ｌ２２〜Ｌ２５がグローブ６の内周面を照らし出す面積よりも小さい。このため、外部からグローブ６を観察すると、少なくともグローブ６のうち、遮光板３０Ｂと遮光板３０Ｃの間に位置する部分では、輝度にばらつきが生じることを抑制することができる。
【００８０】
なお、接続部材３１，３２の表面は、反射面８０〜８２を含め白色に着色されている。このため、反射面８０〜８２において、各ＬＥＤ２２ｂ〜２５ｂから光を良好に反射することができる。さらに、各反射面８０〜８２にミラーを配置した場合と比較して構成を簡易なものにすることができ、製造コストの低減を図ることができる。なお、接続部材３１，３２に限られず、遮光板３０Ｃの表面も同様に白色に着色されている。
【００８１】
なお、図９および図１０を用いて、ＬＥＤ対２１ＢおよびＬＥＤ対２６Ｂについて説明したが、他のＬＥＤ対２１Ａ，２１ＣおよびＬＥＤ対２６Ａ，２６Ｃにおいても、ＬＥＤ対２１ＢおよびＬＥＤ対２６Ｂと同様に構成されている。これにより、グローブ６に影が生じない。
【００８２】
図４において、グローブ６のうち、遮光板３０Ａおよび遮光板３０Ｂの間に位置する部分は、周方向および高さ方向の全体に亘ってＬＥＤ対２１Ａ，２６Ａからの光によって均一に光る。同様に、グローブ６のうち、遮光板３０Ｃおよび遮光板３０Ｄの間に位置する部分は、周方向および高さ方向の全体に亘って、ＬＥＤ対２１Ｃ，２６Ｃからの光によって均一に光る。
【００８３】
図８において、ＬＥＤ２３ｂは回路基板８に装着される装着面と、光を出射する出射面４０とがＬＥＤ２３ｂの厚さ方向に配列し、ＬＥＤ２３ｂの周面４１は、出射面４０と装着面との間であって、出射面４０および装着面を連結するように形成されている。
【００８４】
ＬＥＤ２３ｂの周面４１からの光は出射されていない。このため、ＬＥＤ２３ｂから出射される光のうち、回路基板８の立ち上がり方向に進む光は少なく、各遮光板３０に形成された貫通孔３３内を通過する光は少ない。同様に、他のＬＥＤも形成されており、各ＬＥＤの周面からは光が出射されていない。
【００８５】
このため、ＬＥＤ対２１Ａ，２６Ａから出射される光と、ＬＥＤ対２１Ｂ，２６Ｂから出射される光とが、混ざり合うことが抑制されている。
【００８６】
同様に、ＬＥＤ対２１Ｃ，２６Ｃからの光と、ＬＥＤ対２１Ｂ，２６Ｃからの光とが混ざり合うことも抑制されている。
【００８７】
これにより、ＬＥＤ対２１Ａ，２６Ａの光の色と、ＬＥＤ対２１Ｂ，２６Ｂの光の色と、ＬＥＤ対２１Ｃ，２６Ｃの光の色とを異ならせたとしても、異なる色の光同士が混ざり合うことを抑制することができる。
【００８８】
このためグローブ６を外部から観察すると、高さ方向に異なる色の光がきれいに色分けされた状態でグローブ６を輝かせることができる。
【００８９】
図１１は、グローブ６の周壁部５１の一部を拡大視した断面図であり、図１２は、図１１に示すグローブ６の一部をさらに拡大視した断面図である。
【００９０】
図１１において、周壁部５１の外周面には、周壁部５１の周方向に延びる複数の環状凸部５２が回路基板８の立ち上がり方向に配列している。
【００９１】
周壁部５１の外周面には、回路基板８の立ち上がり方向において、ＬＥＤ２２ｂと同じ高さに位置する部分には、環状に延びる基準環状凸部５５が形成されている。
【００９２】
環状凸部５２の表面は、基準環状凸部５５側に位置する側面５３と、この側面５３に対して環状凸部５２と反対側に位置する側面５４とを含む。なお、側面５３および側面５４は、環状に形成されており、側面５３と側面５４とによって環状の稜線部が形成されている。さらに、側面５４の面積は、側面５３の面積よりも広くなるように、環状凸部５２が形成されている。
【００９３】
側面５３は、基準環状凸部５５から離れるにつれて、周壁部５１の内周面側から外周面側に向かうように傾斜しており、側面５４は基準環状凸部５５から離れるにつれて、周壁部５１の外周面側から内周面に向けて傾斜するように形成されている。
【００９４】
図１２において、ＬＥＤ２２ｂからの光は、周壁部５１の内周面から周壁部５１内に入り込む。周壁部５１は、透明な材料によって形成されている。
【００９５】
ここで、仮に、周壁部５１に環状凸部５２が形成されておらず、厚さが均一に形成されている場合と、図１２に示すように、周壁部５１の外周面に複数の環状凸部５２が形成されている場合とを比較検討する。
【００９６】
周壁部５１の厚さが均一な場合において、ＬＥＤ２２ｂからの光が周壁部５１内に入り込み、周壁部５１の外周面に入射した際に、当該光の入射角度が臨界角度よりも大きいときには、周壁部５１の外周面で全反射する。
【００９７】
そして、周壁部５１の厚さが均一な場合には、上記の全反射した光は、周壁部５１内を伝播し、たとえば、遮光板３０を超える場合がある。
【００９８】
たとえば、ＬＥＤ２２ｂと、ＬＥＤ２２ａ，２２ｃとは、発光する色が異なるため、ＬＥＤ２２ｂからの光が周壁部５１内を伝播し、ＬＥＤ２２ａ、２２ｃからの光と混ざり合うと、異なる色の光同士が混ざり合うことになる。
【００９９】
その一方で、図１２に示すように、本実施の形態に係る表示灯本体２においては、上記のように周壁部５１の外周面には、複数の側面５４が形成されている。
【０１００】
基準環状凸部５５は、ＬＥＤ２２ｂと同じ高さに位置しているため、側面５４に入射する光は、水平方向に対して傾斜した状態となる。その一方で、各側面５４は、上記のように傾斜しているため、ＬＥＤ２２ｂからの光は、側面５４に対して略垂直な状態となる。これにより、図１２の光Ｌ１に示すように、ＬＥＤ２２ｂからの光Ｌ１は、側面５４に臨界角度よりも小さい入射角度で側面５４に入射し易い。その結果、光Ｌ１は、側面５４で全反射せずに、そのまま外部に出射される。
【０１０１】
また、仮に、ＬＥＤ２２ｂからの光や、周壁部５１内を伝播する光が側面５４で全反射したとしても、光Ｌ２に示すように、側面５４は、基準環状凸部５５に向けて反射する。その結果、周壁部５１内を伝播する光が、遮光板３０を超えて周壁部５１内を伝播することが抑制され、異なる色の光が周壁部５１内で混ざり合うことを抑制することができる。
【０１０２】
特に、側面５４の面積は側面５３の面積よりも広くなるように各環状凸部５２が形成されているため、遮光板３０を越えて周壁部５１内を伝播する光を低減することができる。
【０１０３】
この結果、図４および図５において、ＬＥＤ対２１Ａ，２６Ａからの光と、ＬＥＤ対２１Ｂ，２６Ｂからの光と、ＬＥＤ対２１Ｃ，２６Ｃからの光とが混ざりあうことを抑制することができ、グローブ６はきれいに色分けされた状態で光る。
【０１０４】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【０１０５】
本発明は、表示灯に適用することができ、特に、透光性を有するグローブとグローブ内に配置された光源とを含む表示灯に好適である。
【符号の説明】
【０１０６】
１  表示灯、２  表示灯本体、３  スタンド、４  ポール、５  基体、６  グローブ、７  遮光板ユニット、８  回路基板、１０  開口部、２０Ａ，２０Ｂ  主表面、２１Ａ，２１Ｂ，２１Ｃ，２６Ａ，２６Ｂ，２６Ｃ  ＬＥＤ対、３０，３０Ａ，３０Ｂ，３０Ｃ，３０Ｄ  遮光板、３１，３２  接続部材、３３  貫通孔、３４，３５  突起部、３６  穴部、４０  出射面、４１  周面、５０  上壁部、５１  周壁部、５２  環状凸部、５３，５４  側面、５５  基準環状凸部、６０  基板支持部、６１，６２  係止部、８０，８１，８２，８３  反射面、Ｌ１，Ｌ２  光、Ｌ２２，Ｌ２３，Ｌ２４，Ｌ２５  直接光、Ｌ８０，Ｌ８１，Ｌ８２，Ｌ８３  反射光、Ｏ１  中心線、Ｐ１，Ｐ２，Ｐ３，Ｐ４  交差点、Ｒ１，Ｒ２，Ｒ３，Ｒ４，Ｒ５，Ｒ６，Ｒ７，Ｒ８  照射領域。
【要約】
【課題】輝度ムラの発生が抑制された表示灯であって、さらに、部品点数低減が図られた表示灯を提供する。
【解決手段】  表示灯は、基体と、基体に装着され、透光性を有する筒状のグローブと、グローブ内に設けられ、基体から立ち上がるように設けられると共に、厚さ方向に配列する第１主表面２０Ｂおよび第２主表面２０Ａを含む回路基板と、回路基板の幅方向の中央部を通り回路基板の立ち上がり方向に延びる中心線Ｏ１を挟むように、回路基板の第１主表面２０Ｂに配置された複数の第１光源２５ｂ，２４ｂと、中心線Ｏ１を挟むように、回路基板の第２主表面２０Ａに配置された複数の第２光源２２ｂ，２３ｂと、第１光源２５ｂ，２４ｂよりも中心線Ｏ１側に設けられ、第１主表面２０Ｂから離れるにつれて、第１光源２５ｂ，２４ｂ側に傾斜するように延びる第１反射面８０，８１と、第２光源２２ｂ，２３ｂよりも中心線Ｏ１側に設けられ、第２主表面２０Ａから離れるにつれて、第２光源２２ｂ，２３ｂ側に傾斜するように延びる第２反射面８２，８３とを備え、第１反射面８０，８１からの反射光の放射領域と、第２反射面８２，８３からの反射光の放射領域とは、グローブ内であって回路基板の側方で重なり合う。
【選択図】図９【図１】
0004657381.tif 000002
【図２】
0004657381.tif 000003
【図３】
0004657381.tif 000004
【図４】
0004657381.tif 000005
【図５】
0004657381.tif 000006
【図６】
0004657381.tif 000007
【図７】
0004657381.tif 000008
【図８】
0004657381.tif 000009
【図９】
0004657381.tif 000010
【図１０】
0004657381.tif 000011
【図１１】
0004657381.tif 000012
【図１２】
0004657381.tif 000013